(57)【要約】【課題】施工性において優れ、耐久性に難のあった湿式工法において、ひび割れ、漏水、剥離等の問題を解決することにより、施工性、耐久性を両立した外断熱構造体及びその工法を提供する。【解決手段】躯体またはその表面の既存の仕上げ層の上に、外断熱材を形成すると共に、その外断熱層とモルタル仕上げ層とのあいだに、通気性の良好なプラスチック系の繊維状ボードあるいは低密度の不織布などの通気材層を形成した。【選択図】　図１
2004143669.tif 000002
【特許請求の範囲】
【請求項１】
コンクリート等の躯体と、該躯体の外側に形成された外断熱層と、モルタル仕上げ層とを備え、上記外断熱層とモルタル仕上げ層との間に、通気性の優れた材料からなる通気材層を有することを特徴とする外断熱構造体。
【請求項２】
既存の躯体と、該躯体の上に形成された既存の仕上げ層と、該既存の仕上げ層の表面に形成された外断熱層と、モルタル仕上げ層とを備え、上記外断熱層とモルタル仕上げ層との間に通気性の優れた材料からなる通気材層を有することを特徴とする外断熱構造体。
【請求項３】
請求項１又は２において、上記通気材層はプラスチック系の細かい繊維状ボード又は通気性の不織布からなることを特徴とする外断熱構造体。
【請求項４】
請求項１又は２において、上記モルタル仕上げ層は繊維補強ポリマーセメントモルタルよりなることを特徴とする外断熱構造体。
【請求項５】
請求項１又は２において、上記通気材層の上に樹脂ネットが形成され、該樹脂ネットと、上記通気材層と外断熱層とをアンカーピンにより固定したことを特徴とする外断熱構造体。
【請求項６】
請求項１又は２において、上記外断熱層は繊維系断熱材よりなることを特徴とする外断熱構造体。
【請求項７】
既存の躯体又はその上に形成された仕上げ層の外側に繊維系断熱層を形成する工程と、上記断熱層の上に通気材を取り付け、仮止めする工程と、上記通気材の上に樹脂ネットを取付けて仮止めする工程と、上記断熱材、通気材および樹脂ネットを躯体に固定する工程と、上記樹脂ネットの外側にモルタルを塗布する工程とを含むことを特徴とする外断熱構造体の製造方法。
【発明の詳細な説明】
【０００１】
【発明の属する技術分野】
本発明は外断熱コンクリート建築物の外壁構造に係り、特に既存の建築物の外断熱化に適した外壁構造およびその製造方法に関するものである。
【０００２】
【従来の技術】
近年、エネルギーの消費量の増加に伴って、地球温暖化が大きな社会問題になっている。このため、世界各国の間で、二酸化炭素（ＣＯ２）の排出量を削減する動きが急速に活発化している。
【０００３】
二酸化炭素の排出源は、大きく分けて産業部門、運輸部門、民生部門の三部門に分けられるが、産業、運輸の２つの部門は、既に省エネルギーが高いレベルで進んでおり、近年は、民生部門のエネルギー消費量の一層の削減が強く要望されている。
このような背景にあって、近年、外断熱工法を用いて建築されたコンクリート建築物が注目されている。外断熱工法とは、建築物を構成するコンクリート躯体を外側から断熱体で覆う工法である。
【０００４】
このような外断熱工法は、コンクリート躯体の内側に断熱材を配置する内断熱に比較して省エネルギー効果が大きく、しかも冬季に室内側の結露の発生を著しく低下させることができる等の優れた効果があることが確認されている。
この外断熱工法や外断熱構造体については、既にいろいろな提案がなされている。たとえば、特開２００１−２９５３８７号公報にはコンクリート製の躯体の室外側に設ける断熱モルタル層と、その断熱モルタル層に設けられる化粧仕上げ層の材質を選定することにより結露の防止効果や耐久性を改善した提案がなされている。
【０００５】
また、特開２００２−８１１４５号公報には年間を通して省エネルギー効果を得られるようにするため、コンクリート躯体の外壁面に密着して断熱体を配置し、その断熱体の外側面に、多数の小さい穴があけられた薄い輻射熱遮断シートを貼り付けた構造が開示されている。
【０００６】
さらに特開平７−１２７１５２号公報には、鉄筋コンクリート外壁面に対する断熱材の取り付け及びタイルの外装が簡単、確実に行われ、外装材の剥離が防止される構造が開示されている。
【０００７】
【発明が解決しようとする課題】
このような提案に基づき建築された最近の住宅は、省エネルギー基準が強化され、熱損失が小さくなってきている。しかしながら民生部門のエネルギーの消費量を削減するためには、今後新築される建物の熱損失を低減するだけでなく、既に建築されている多くの建物の熱損失を低減しなければ必要な削減目標を達成することは困難な状況にある。
【０００８】
しかしながら、現在までに提案されている工法はほとんどが新築建築物を対象としており、既存の建築物の改修に適した工法及び構造がないのが現状である。外断熱工法はもともと外部から工事を行なえるので、居ながらにして工事ができるから、改修に適した簡易で丈夫な構造や工法が開発されれば既存の建築物の外断熱化が大いに促進される可能性がある。
【０００９】
断熱改修における外装工法には大きく分けて、湿式と乾式の二つの工法があるが、既存の建築物の改修には、経済的で且つ、施工性に優れた湿式が適していると考えられる。しかし湿式の場合は、一般にはひび割れ、漏水、剥離などの耐久性において乾式より劣るという問題がある。
【００１０】
本発明の主たる目的は、このような背景を考慮して、既存の建築物を改修して外断熱化するのに適した断熱構造体及び工法を提供することにある。
また本発明の他の目的は、外部からの雨水浸入に対して安全性の高い湿式の外断熱工法を提供することにある。
【００１１】
【課題を解決する手段】
上記の目的を達成するために本発明は、コンクリート等の躯体と、該躯体の外側に形成された外断熱層と、モルタル仕上げ層とを備え、上記外断熱層とモルタル仕上げ層との間に、通気性の優れた材料からなる通気材層を形成したことに一つの特徴がある。このように構成することにより、外部から雨水が浸入しても断熱層を速やかに乾燥することが可能になり、耐久性を高めることができる。
また、施工性と耐久性を両立することができ、且つ経済的にも比較的安価であるから既存の躯体の改修に極めて適している。
【００１２】
本発明の他の特徴は、上記通気材層をプラスチック系の細かい繊維状ボード又は通気性の不織布から構成したことにある。このようにすると通気性の良好な層を形成でき、外部からの雨水侵入、漏水等に対する安全性を高めることができる。
【００１３】
本発明の他の特徴は、上記モルタル仕上げ層を繊維補強ポリマーセメントモルタルより形成したことにある。このように構成することにより、従来よりも仕上げ層を薄くすることが可能になり、しかもひび割れ発生に対する抵抗性も高めることが可能になる。
【００１４】
本発明の他の特徴は、上記通気材層の上に樹脂ネットを形成し、該樹脂ネットと、上記通気材層と外断熱層とをアンカーピンにより固定したことにある。このように構成すると、既存の躯体に仕上げ浮きがあっても、その上から押さえ込むことにより剥離防止を兼ねることができる。
【００１５】
本発明の他の特徴は、上記外断熱層を繊維系断熱材より構成したことにある。このようにすると、既存躯体の不陸や寸法誤差に対応しやすくなり、また耐火性に優れた構造とすることができる。
【００１６】
本発明の他の特徴は、既存躯体又はその上に形成された仕上げ層の外側に繊維系断熱層を形成する工程と、上記断熱層の上に通気材を取り付け、仮止めする工程と、上記通気材の上に樹脂ネットを取付けて仮止めする工程と、上記断熱材、通気材および樹脂ネットを躯体に固定する工程と、上記樹脂ネットの外側にモルタルを塗布する工程とにより外断熱構造体を製造する方法にある。このような方法により製作された断熱構造体は施工性、耐久性、経済性等に優れているので特に既存の躯体の改修に適している。
本発明の他の特徴及び効果は以下の実施形態の説明から更に明瞭に理解される。
【００１７】
【発明の実施の形態】
以下、本発明の実施の形態について説明する。図１は本発明にかかる外断熱構造体の一実施形態を示す断面図であり、１は例えば既存のＲＣ造躯体、２は既存の断熱材、３はその断熱材の内側に形成された既存の内装材である。ＲＣ造躯体１の外側の面には既存の外壁仕上げ材４が形成されている。
【００１８】
本発明の構造体においては、上記の外壁仕上げ材４の外側に断熱体５が形成される。この断熱体としては繊維系断熱材または発砲プラスチック系断熱材が用いられる。繊維系と発砲スチロール系の断熱材を比較した場合、断熱性能や、経済性においてそれほど大きな差異はないが、耐久性や耐火性、既存建築物に対する施工性において繊維系断熱材の方が優れている。すなわち繊維系は既存躯体の不陸や寸法誤差に対応しやすく、また発砲スチロール系は、熱に対して溶融するのに対し繊維系はその心配も少ない。但し繊維系断熱材は含水により性能が低下するので耐水性においては発砲スチロール系断熱材が優れている。本発明の実施形態においては、望ましくは繊維系断熱材を用い、耐水性は構造的に改善を図っている。
【００１９】
断熱材５の外側には厚さが１０〜１５ｍｍ程度の通気性板状成形品６が設けられている。この板状通気材６は通気性において優れていると共に、左官材の下地としての性状を有することが望ましく、例えば低密度の不織布、あるいはプラスチック系の細かい繊維状ボードが用いられる。上記通気性板状成形品６の厚さは通気性を確保するためには、最小でも５ｍｍ程度が必要で、望ましい範囲は１０ｍｍから２０ｍｍである。
【００２０】
この板状通気材６の表面に例えばビニロン系の樹脂ネット８が補強用に形成されている。樹脂ネット８の上から躯体１に達するアンカーピン９が打ち込まれ、断熱材５、通気材６及び樹脂ネット８が固定される。さらに補強用樹脂ネット８の外側に厚さが１０ｍｍ程度以下の仕上げ層７が形成される。この仕上げ層７としては、好ましくは、短繊維を混入して補強を図ったポリマーセメントモルタルが塗布される。このように仕上げ層７に繊維補強ポリマーセメントモルタルを使用することにより、従来よりも仕上げ層７を薄くすることができ、またひび割れを発生し難くする効果がある。
【００２１】
また、断熱材５と仕上げ材７との間に通気機能を有する通気材６を介在させることにより、仕上げ層７にひび割れが生じ雨水が浸入したり、目地や開口周りから漏水した場合にも、断熱層５を速やかに乾燥状態にすることができる。また、日射等による外装材の温度変化が緩和されるというメリットもある。さらには、ひび割れ等から室内外の水蒸気が断熱層中に侵入しても、通気層６を通して外部に放出されるという効果もある。
【００２２】
従来の湿式外断熱工法では、このような通気機能がなかったことと、モルタル仕上げ層にひび割れが生じやすかったために、外部からの雨水の浸入に対して脆弱であったが、本発明の実施形態ではこの点を著しく改善をすることができる。
【００２３】
また、上記の実施形態では、アンカーピン９と樹脂ネット８を使用するので既存躯体１に仕上げ浮きがあっても、断熱材５を挟む形でその上から押さえ込むことにより、剥落防止を兼ねることができる。
【００２４】
次に本発明の断熱構造体の工法について図２を参照して説明する。
まず、ステップＳ１では、既存の構造物のひび割れ、錆鉄筋、大面積の仕上げ浮き等の劣化部分を補修する。次にステップＳ２ではＧＷボード、ＲＷボード等の繊維系断熱材のボード４を貼り付け、簡易ピンによる仮止めを行なう。更にステップＳ３では通気層６を形成する。これは例えば低密度で通気性が良好な不織布や、プラスチック系の細かい繊維状ボードを簡易ピンで仮止めすることにより行なわれる。
【００２５】
ステップＳ４では補強用樹脂ネット６が取付けられる。これは例えばビニロン系の樹脂ネットを仮止めすることにより行なわれる。さらにステップＳ５では、アンカーピン９を打ち込み、断熱材５、通気材６、補強用樹脂ネット８の固定と不陸調整を行なう。ステップＳ６では図１では図示を省略した開口枠や水切り板の取り付けを行ない、その後に、ステップ７において、５〜６ｍｍの厚さにポリマーセメントモルタルを塗布する。最後にステップ８において弾性系塗料を塗装して外断熱構造体の施工を完了する。
【００２６】
【発明の効果】
以上の説明によって明らかなように、本発明は躯体の上に外断熱材を形成すると共に、その外断熱材とモルタル層の間に通気層を形成したので施工性と耐久性を両立できるという優れた効果がある。つまり、湿式工法は従来より施工性に優れているものの、ひび割れ、漏水、剥離等の問題があり耐久性に難があったが、本発明のように、通気層を形成することによりその難点を改善し両立を図ることが可能になった。
【００２７】
また、乾式のように金属板等の高価な材料を使用せず経済的であり、かつ簡便な工法であるから、既存の建築物の改修に特に適しており、これにより既存の建築物の外断熱構造が促進されればエネルギーの削減に大きな効果を発揮することが可能になる。
【図面の簡単な説明】
【図１】本発明にかかる外断熱構造体の一実施例を示す断面図である。
【図２】本発明の外断熱構造体の一実施例の工法を示す工程図である。
【符号の説明】
【図１】
2004143669.tif 000003
【図２】
2004143669.tif 000004